(57)【要約】【課題】被覆電線の端部に対する接続強度の低下を抑制しつつ接続部を補強することができる圧着端子、及び、そのような圧着端子を備えた端子付き電線を提供する。【解決手段】圧着端子１１０は、被覆電線１２０における芯線１２１が露出された端部１２０ａに圧着接続される端子本体１１１と、端部１２０ａと端子本体１１１との接続部１ａを補強する補強部材１１２と、を備え、端子本体１１１が、端部１２０ａにおける芯線１２１の近傍の被覆部１２２に巻き付けられて圧着接続される被覆バレル１１１ｂ、及び、芯線１２１に巻き付けられて圧着接続される芯線バレル１１１ｃ、を有し、補強部材１１２が、被覆バレル１１１ｂの少なくとも一部、及び、芯線バレル１１１ｃの少なくとも一部、の双方に重なった状態で巻き付けられて圧着接続される部材であることを特徴とする。【選択図】図１
2018181559.tif 000002
【特許請求の範囲】
【請求項１】
被覆電線における芯線が露出された端部に圧着接続される端子本体と、
前記端部と前記端子本体との接続部を補強する補強部材と、を備え、
前記端子本体が、前記端部における露出芯線の近傍の被覆部に巻き付けられて圧着接続される被覆バレル、及び、前記露出芯線に巻き付けられて圧着接続される芯線バレル、を有し、
前記補強部材が、前記被覆バレルの少なくとも一部、及び、前記芯線バレルの少なくとも一部、の双方に重なった状態で巻き付けられて圧着接続される部材であることを特徴とする圧着端子。
【請求項２】
前記補強部材は、当該補強部材が前記被覆バレルの少なくとも一部及び前記芯線バレルの少なくとも一部に対する圧着接続の前の時点で、前記端子本体の長手方向について前記接続部の側となる接続側端部から離隔した位置で前記長手方向と交差する方向に帯状に延在する補強圧着片、及び、当該補強圧着片と前記端子本体の前記接続側端部とを前記長手方向に一体的に繋ぐ連結片、を備え、
前記補強部材は、前記圧着接続の際には、前記補強圧着片が前記被覆バレルの少なくとも一部及び前記芯線バレルの少なくとも一部の双方に重なるように前記連結片の部分で折り返された状態で、前記補強圧着片が前記被覆バレルの少なくとも一部及び前記芯線バレルの少なくとも一部の双方に巻き付けられて圧着接続される部材であることを特徴とする請求項１に記載の圧着端子。
【請求項３】
前記端子本体は、複数個が、当該端子本体の長手方向と交差する方向に帯状に延在する長尺帯に、前記接続側端部が枝状片を介して繋がれた状態で保管され、当該枝状片、及び、前記長尺帯において当該枝状片と繋がった一部片、を残して前記長尺帯から切離されて使用されるものであり、
前記補強圧着片及び前記連結片は、それぞれ、前記端子本体が前記長尺帯から切離されたときに残った前記一部片及び前記枝状片であることを特徴とする請求項２に記載の圧着端子。
【請求項４】
被覆電線と、
前記被覆電線における芯線が露出された端部に圧着接続される端子本体、及び、前記端部と前記端子本体との接続部を補強する補強部材、を有する圧着端子と、を備え、
前記端子本体が、前記端部における露出芯線の近傍の被覆部に巻き付けられて圧着接続される被覆バレル、及び、前記露出芯線に巻き付けられて圧着接続される芯線バレル、を有し、
前記補強部材が、前記被覆バレルの少なくとも一部、及び、前記芯線バレルの少なくとも一部、の双方に重なった状態で巻き付けられて圧着接続される部材であることを特徴とする端子付き電線。
【発明の詳細な説明】
【技術分野】
【０００１】
本発明は、被覆電線の端部に圧着接続される圧着端子と、そのような圧着端子を備えた端子付き電線と、に関するものである。
【背景技術】
【０００２】
多くの場合、ワイヤハーネスには、被覆電線の端部に圧着端子が圧着接続された端子付き電線が用いられる（例えば特許文献１参照。）。端子付き電線においては、例えば配索等の際に、被覆電線の端部と圧着端子との接続部に応力が集中し易い。そして、このような応力が大き過ぎると、接続部における曲がり等の変形が生じる恐れがある。特許文献１に記載の端子付き電線には、相手側端子との嵌合部の根本部分を補強する補強リングが設けられているが、上記の接続部については特に補強されていない。
【０００３】
ここで、端子付き電線の中には、例えば電気接続性の向上のために露出芯線に金属パイプを被せた上から圧着端子を圧着接続したもの等が提案されている（例えば特許文献２参照。）。このような端子付き電線においては、電気接続性の向上のための金属パイプが、被覆電線の端部と圧着端子との接続部を補強する補強部材の役割を果たす。
【先行技術文献】
【特許文献】
【０００４】
【特許文献１】特開平１０−１８９１０６号公報
【特許文献２】特開２０１１−２４３３２８号公報
【発明の概要】
【発明が解決しようとする課題】
【０００５】
しかしながら、特許文献２に記載の端子付き電線では、被覆電線の端部との間に金属パイプを挟んで圧着端子が圧着接続されるので、直に圧着端子が圧着接続される場合に比べると接続強度が低下する可能性がある。
【０００６】
従って、本発明は、上記のような問題に着目し、被覆電線の端部に対する接続強度の低下を抑制しつつ接続部を補強することができる圧着端子、及び、そのような圧着端子を備えた端子付き電線を提供することを目的とする。
【課題を解決するための手段】
【０００７】
上記課題を解決するために、本発明の圧着端子は、被覆電線における芯線が露出された端部に圧着接続される端子本体と、前記端部と前記端子本体との接続部を補強する補強部材と、を備え、前記端子本体が、前記端部における露出芯線の近傍の被覆部に巻き付けられて圧着接続される被覆バレル、及び、前記露出芯線に巻き付けられて圧着接続される芯線バレル、を有し、前記補強部材が、前記被覆バレルの少なくとも一部、及び、前記芯線バレルの少なくとも一部、の双方に重なった状態で巻き付けられて圧着接続される部材であることを特徴とする。
【０００８】
本発明の圧着端子によれば、被覆電線の端部に対する端子本体の接続強度については、被覆電線の端部に直に接続される被覆バレルや芯線バレルによって担保される。その上で、これらの部位に重なった状態で巻き付けられて圧着接続される補強部材によって、被覆電線の端部との接続部の補強を図ることができる。また、補強部材は、被覆バレルの少なくとも一部、及び、芯線バレルの少なくとも一部、の双方に重なった状態で巻き付けられて圧着接続されるので、これら２つの部位どうしを連結する形で十分な補強が行われることとなる。このように、本発明の圧着端子によれば、被覆電線の端部に対する接続強度の低下を抑制しつつ接続部を補強することができる。
【０００９】
ここで、本発明の圧着端子において、前記補強部材は、当該補強部材が前記被覆バレルの少なくとも一部及び前記芯線バレルの少なくとも一部に対する圧着接続の前の時点で、前記端子本体の長手方向について前記接続部の側となる接続側端部から離隔した位置で前記長手方向と交差する方向に帯状に延在する補強圧着片、及び、当該補強圧着片と前記端子本体の前記接続側端部とを前記長手方向に一体的に繋ぐ連結片、を備え、前記補強部材は、前記圧着接続の際には、前記補強圧着片が前記被覆バレルの少なくとも一部及び前記芯線バレルの少なくとも一部の双方に重なるように前記連結片の部分で折り返された状態で、前記補強圧着片が前記被覆バレルの少なくとも一部及び前記芯線バレルの少なくとも一部の双方に巻き付けられて圧着接続される部材であることが好適である。
【００１０】
この好適な圧着端子では、補強圧着片及び連結片を備える補強部材が、端子本体と一体に形成されている。このため、端子本体と補強部材が別体に形成されている場合と比較して、圧着端子としての部品点数が抑えられる。これにより、圧着端子の保管や被覆電線の端部への圧着作業等といった、圧着端子の取扱い全般について容易に行うことができる。
【００１１】
また、この好適な圧着端子において、前記端子本体は、複数個が、当該端子本体の長手方向と交差する方向に帯状に延在する長尺帯に、前記接続側端部が枝状片を介して繋がれた状態で保管され、当該枝状片、及び、前記長尺帯において当該枝状片と繋がった一部片、を残して前記長尺帯から切離されて使用されるものであり、前記補強圧着片及び前記連結片は、それぞれ、前記端子本体が前記長尺帯から切離されたときに残った前記一部片及び前記枝状片であることが一層好適である。
【００１２】
この一層好適な圧着端子によれば、複数個の圧着端子の保管に資する長尺帯における一部片や枝状片が、補強部材における補強圧着片や連結片に有効利用されるので、部品コストを抑えることができる。
【００１３】
また、上記課題を解決するために、本発明の端子付き電線は、被覆電線と、前記被覆電線における芯線が露出された端部に圧着接続される端子本体、及び、前記端部と前記端子本体との接続部を補強する補強部材、を有する圧着端子と、を備え、前記端子本体が、前記端部における露出芯線の近傍の被覆部に巻き付けられて圧着接続される被覆バレル、及び、前記露出芯線に巻き付けられて圧着接続される芯線バレル、を有し、前記補強部材が、前記被覆バレルの少なくとも一部、及び、前記芯線バレルの少なくとも一部、の双方に重なった状態で巻き付けられて圧着接続される部材であることを特徴とする。
【００１４】
本発明の端子付き電線によれば、上述した本発明の圧着端子を備えていることから、被覆電線の端部に対する接続強度の低下を抑制しつつ接続部を補強することができる。
【００１５】
尚、ここでは、本発明の端子付き電線について、その基本形態のみを記載したが、上述した本発明の圧着端子における種々の好適な形態が適用可能であることは言うまでもない。
【発明の効果】
【００１６】
本発明によれば、被覆電線の端部に対する接続強度の低下を抑制しつつ接続部を補強することができる圧着端子、及び、そのような圧着端子を備えた端子付き電線を得ることができる。
【図面の簡単な説明】
【００１７】
【図１】本発明の第１実施形態にかかる端子付き電線を示す図である。
【図２】図１に示されている端子付き電線の、図１中の矢印Ｖ１１方向から見た上面図、矢印Ｖ１２方向から見た側面図、及びＶ１３−Ｖ１３線断面を表す断面図である。
【図３】図１に示されている補強部材の拡大斜視図である。
【図４】図３に示されている補強部材の、図３中の矢印Ｖ１４方向から見た上面図、矢印Ｖ１５方向から見た側面図、及び矢印Ｖ１６方向から見た正面図である。
【図５】図３及び図４に示されている補強部材の展開形状を示す斜視図である。
【図６】図５に示されている補強部材の展開形状の、図５中の矢印Ｖ１７方向から見た平面図である。
【図７】図１に示されている端子付き電線を作製する一連の手順を示す図である。
【図８】本発明の第２実施形態にかかる端子付き電線を示す図である。
【図９】図８に示されている圧着端子の圧着接続の前の外観を示す斜視図である。
【図１０】図９に示されている圧着接続の前の圧着端子の、図９中の矢印Ｖ２１方向から見た上面図、矢印Ｖ２３方向から見た側面図、及び矢印Ｖ２２方向から見た正面図である。
【図１１】図９及び図１０に示されている圧着端子について、複数個が互いに繋がれた状態で保管される様子を示す模式図である。
【図１２】図９及び図１０に示されている圧着端子を用いて、図８に示されている端子付き電線を作製する一連の手順を示す図である。
【図１３】図１２のステップＳ２３に示されている圧着端子の、図１２中の矢印Ｖ２４方向から見た上面図と、矢印Ｖ２５方向から見た側面図である。
【図１４】図１２のステップＳ２４に示されている圧着端子の、図１２中の矢印Ｖ２４方向から見た上面図と、矢印Ｖ２５方向から見た側面図である。
【発明を実施するための形態】
【００１８】
以下、本発明の圧着端子及び端子付き電線の一実施形態について説明する。まず、第１実施形態について説明する。
【００１９】
図１は、本発明の第１実施形態にかかる端子付き電線を示す図であり、図２は、図１に示されている端子付き電線の、図１中の矢印Ｖ１１方向から見た上面図、矢印Ｖ１２方向から見た側面図、及びＶ１３−Ｖ１３線断面を表す断面図である。
【００２０】
本実施形態の端子付き電線１は、圧着端子１１０と、被覆電線１２０と、を備えている。そして、圧着端子１１０が、被覆電線１２０における芯線１２１が露出された端部１２０ａに圧着接続される金属製の端子本体１１１と、上記の端部１２０ａと端子本体１１１との接続部１ａを補強する金属線の補強部材１１２と、を備えている。
【００２１】
圧着端子１１０は雌型コネクタ端子であり、端子本体１１１が、四角筒状で相手側の雄型端子と嵌合する嵌合部１１１ａを備えている。また、端子本体１１１は、被覆電線１２０の端部１２０ａに対する圧着接続を担う被覆バレル１１１ｂと芯線バレル１１１ｃとを備えている。被覆バレル１１１ｂは、被覆電線１２０の端部１２０ａにおける露出した芯線１２１の近傍の被覆部１２２に巻き付けられて圧着接続される。芯線バレル１１１ｃは、被覆電線１２０の端部１２０ａにおける露出した芯線１２１に巻き付けられて圧着接続される。
【００２２】
また、補強部材１１２は、被覆部１２２に圧着接続された被覆バレル１１１ｂの一部、及び、露出した芯線１２１に圧着接続された芯線バレル１１１ｃの一部、の双方に重なった状態で巻き付けられて圧着接続される部材である。
【００２３】
図３は、図１に示されている補強部材の拡大斜視図である。また、図４は、図３に示されている補強部材の、図３中の矢印Ｖ１４方向から見た上面図、矢印Ｖ１５方向から見た側面図、及び矢印Ｖ１６方向から見た正面図である。また、図５は、図３及び図４に示されている補強部材の展開形状を示す斜視図であり、図６は、図５に示されている補強部材の展開形状の、図５中の矢印Ｖ１７方向から見た平面図である。
【００２４】
補強部材１１２は、被覆側補強部１１２ａと、芯線側補強部１１２ｂと、中間補強部１１２ｃと、を備えている。被覆側補強部１１２ａは、被覆バレル１１１ｂにおいて芯線バレル１１１ｃと隣接した一部に圧着接続される部位である。また、芯線側補強部１１２ｂは、芯線バレル１１１ｃにおいて被覆バレル１１１ｂと隣接した一部に圧着接続される部位である。本実施形態では、圧着状態で、被覆バレル１１１ｂが芯線バレル１１１ｃよりも大径となるため、補強部材１１２においても被覆側補強部１１２ａが芯線側補強部１１２ｂよりも大径となっている。そして、中間補強部１１２ｃは、被覆側補強部１１２ａから芯線側補強部１１２ｂにかけて斜面を形成しつつ両者間を連結している。
【００２５】
図５及び図６に示されているように、補強部材１１２の展開形状は帯板状となる。この帯板状の補強部材１１２が、被覆バレル１１１ｂの一部、及び、芯線バレル１１１ｃの一部、の双方に重ねられて巻き付けられて圧着接続される。
【００２６】
図７は、図１に示されている端子付き電線を作製する一連の手順を示す図である。
【００２７】
まず、被覆バレル１１１ｂ及び芯線バレル１１１ｃが共に開かれた状態の端子本体１１１が用意され、それら被覆バレル１１１ｂ及び芯線バレル１１１ｃの上に、被覆電線１２０における露出した芯線１２１を含む端部１２０ａが載置される（ステップＳ１１）。次に、被覆バレル１１１ｂが端部１２０ａの被覆部１２２に巻き付けられ、芯線バレル１１１ｃが露出した芯線１２１に巻き付けられ、各々圧着接続される（ステップＳ１２）。さらに、圧着済みの被覆バレル１１１ｂ及び芯線バレル１１１ｃに、図中の下方から展開形状の補強部材１１２が宛がわれる（ステップＳ１３）。そして、この補強部材１１２が、被覆バレル１１１ｂの一部、及び、芯線バレル１１１ｃの一部、の双方に重なった状態で巻き付けられて圧着接続されて、図１にも示されている端子付き電線１が完成する（ステップＳ１４）。
【００２８】
以上に説明した第１実施形態における圧着端子１１０によれば、被覆電線１２０の端部１２０ａに対する端子本体１１１の接続強度については、被覆電線１２０の端部１２０ａに直に接続される被覆バレル１１１ｂや芯線バレル１１１ｃによって担保される。その上で、これらの部位に重なった状態で巻き付けられて圧着接続される補強部材１１２によって、被覆電線１２０の端部１２０ａとの接続部１ａの補強を図ることができる。また、補強部材１１２は、被覆バレル１１１ｂの一部、及び、芯線バレル１１１ｃの一部、の双方に重なった状態で巻き付けられて圧着接続されるので、これら２つの部位どうしを連結する形で十分な補強が行われることとなる。このように、本実施形態の圧着端子１１０によれば、被覆電線１２０の端部１２０ａに対する接続強度の低下を抑制しつつ接続部１ａを補強することができる。
【００２９】
そして、第１実施形態における端子付き電線１によれば、上述した圧着端子１１０を備えていることから、被覆電線１２０の端部１２０ａに対する接続強度の低下を抑制しつつ接続部１ａを補強することができる。
【００３０】
次に、第２実施形態について説明する。この第２実施形態は、補強部材の構造が上述した第１実施形態と異なっている。以下では、第２実施形態について第１実施形態との相違点に注目して説明する。
【００３１】
図８は、本発明の第２実施形態にかかる端子付き電線を示す図である。
【００３２】
ここで、本実施形態における端子付き電線２の外観は、概ね図１や図２に示されている第１実施形態の端子付き電線１の外観と同等である。図８には、図２に示されている端子付き電線１の上面図及び側面図に相当する、第２実施形態の端子付き電線２の上面図及び側面図が示されている。また、この図８では、図２に示されている構成要素と同等な構成要素については、図２と同じ符号が付されており、以下では、これら同等な構成要素についての重複説明を省略する。
【００３３】
本実施形態の圧着端子２１０では、補強部材２１２が、補強圧着片２１２ａと連結片２１２ｂとを備えている。補強圧着片２１２ａは、被覆バレル１１１ｂの一部及び芯線バレル１１１ｃの一部の双方に巻き付けられて圧着接続される部位である。連結片２１２ｂは、補強圧着片２１２ａと端子本体１１１とを一体的に繋ぐ部位である。
【００３４】
図９は、図８に示されている圧着端子の圧着接続の前の外観を示す斜視図である。また、図１０は、図９に示されている圧着接続の前の圧着端子の、図９中の矢印Ｖ２１方向から見た上面図、矢印Ｖ２３方向から見た側面図、及び矢印Ｖ２２方向から見た正面図である。
【００３５】
補強部材２１２が被覆バレル１１１ｂの一部及び芯線バレル１１１ｃの一部に対する圧着接続の前の時点では、補強圧着片２１２ａ及び連結片２１２ｂは、図９及び図１０に示されているような形状を有している。まず、補強圧着片２１２ａは、端子本体１１１の長手方向Ｄ２１について接続部１ａの側となる接続側端部１１１ｄから離隔した位置で、長手方向Ｄ２１と交差する交差方向Ｄ２２に帯状に延在している。この補強圧着片２１２ａが、被覆側補強部２１２ａ−１と、芯線側補強部２１２ａ−２と、中間補強部２１２ａ−３と、を備えている。被覆側補強部２１２ａ−１は、被覆バレル１１１ｂにおいて芯線バレル１１１ｃと隣接した一部に圧着接続される部位である。また、芯線側補強部２１２ａ−２は、芯線バレル１１１ｃにおいて被覆バレル１１１ｂと隣接した一部に圧着接続される部位である。中間補強部２１２ａ−３は、被覆側補強部２１２ａ−１から芯線側補強部２１２ａ−２にかけて斜面を形成しつつ両者間を連結する部位である。
【００３６】
連結片２１２ｂは、この補強圧着片２１２ａと端子本体１１１の接続側端部１１１ｄとを長手方向Ｄ２１に一体的に繋いでいる。そして、圧着接続の際には、補強圧着片２１２ａが被覆バレル１１１ｂの一部及び芯線バレル１１１ｃの一部の双方に重なるように連結片２１２ｂの部分で折返し方向Ｄ２３に折り返される。そして、そのように折り返された状態で、補強圧着片２１２ａが被覆バレル１１１ｂの一部及び芯線バレル１１１ｃの一部の双方に巻き付けられて圧着接続される。
【００３７】
ここで、本実施形態では、端子本体１１１を含む圧着端子２１０は、複数個が次のように繋がれた状態で保管される。
【００３８】
図１１は、図９及び図１０に示されている圧着端子について、複数個が互いに繋がれた状態で保管される様子を示す模式図である。
【００３９】
この図１１に示されているように、保管時には、各圧着端子２１０は、補強部材２１２が展開されて複数個が繋がれた状態となっている。このとき、嵌合部１１１ａ、被覆バレル１１１ｂ、及び芯線バレル１１１ｃは、図１１に点線で示されている展開形状から成形されている。即ち、端子本体１１１の嵌合部１１１ａが四角筒状に折り曲げられ、被覆バレル１１１ｂ及び芯線バレル１１１ｃがＵ字状に曲げられて、図９及び図１０にも示されている形状となっている。
【００４０】
このとき、本実施形態では、各端子本体１１１が、その長手方向Ｄ２１と交差する交差方向Ｄ２２に帯状に延在する長尺帯２２０に繋がれて連鎖状となっている。端子本体１１１は、この長尺帯２２０に、上記の接続側端部１１１ｄが枝状片２２１を介して繋がれている。さらに、このように長尺帯２２０に繋がれて連鎖状となった複数個の圧着端子２１０がリール状に巻かれて梱包されて保管される。圧着端子２１０の使用時には、この状態のまま、電線との圧着接続を行う場所まで運ばれる。この場所で梱包を解かれた後、このリールが延ばされて各圧着端子２１０が長尺帯２２０に繋がれたまま所定の加工位置へと順次に送られる。長尺帯２２０における圧着端子２１０の相互間には、加工位置へと送り込む際の手掛かりとなるパイロット孔２２０ａが形成されている。圧着端子２１０の使用時には、加工位置において、端子本体１１１が、枝状片２２１、及び、長尺帯２２０において枝状片２２１と繋がった一部片２２２、を残して長尺帯２２０から切離される。本実施形態の圧着端子２１０において補強部材２１２を構成する補強圧着片２１２ａ及び連結片２１２ｂは、それぞれ、端子本体１１１が長尺帯２２０から切離されたときに残った一部片２２２及び枝状片２２１を利用したものである。
【００４１】
このように切り離された圧着端子２１０は、そのままで図９及び図１０に示されている形状の圧着端子２１０となる。そして、このような形状の圧着端子２１０が、図８に示されている端子付き電線２の作製に供される。
【００４２】
図１２は、図９及び図１０に示されている圧着端子を用いて、図８に示されている端子付き電線を作製する一連の手順を示す図である。
【００４３】
まず、端子本体１１１の被覆バレル１１１ｂ及び芯線バレル１１１ｃの上に、被覆電線１２０における露出した芯線１２１を含む端部１２０ａが載置される（ステップＳ２１）。次に、被覆バレル１１１ｂが端部１２０ａの被覆部１２２に巻き付けられ、芯線バレル１１１ｃが露出した芯線１２１に巻き付けられ、各々圧着接続される（ステップＳ２２）。そして、これに続くステップＳ２３及びステップＳ２４において、補強部材２１２の折返しが行われる。
【００４４】
尚、本実施形態では、ステップＳ２１及びステップＳ２２において、上記のように長尺帯２２０から切離された圧着端子２１０と被覆電線１２０の端部１２０ａと、の圧着接続が行われる。しかしながら、この圧着接続は、このような手法に限るものではない。圧着接続は、本実施形態とは異なり、長尺帯２２０から切離される前の圧着端子２１０と被覆電線１２０の端部１２０ａとの間で行われ、圧着接続の後に、電線付きの圧着端子２１０が長尺帯２２０から切離されることとしてもよい。
【００４５】
図１３は、図１２のステップＳ２３に示されている圧着端子の、図１２中の矢印Ｖ２４方向から見た上面図と、矢印Ｖ２５方向から見た側面図である。また、図１４は、図１２のステップＳ２４に示されている圧着端子の、図１２中の矢印Ｖ２４方向から見た上面図と、矢印Ｖ２５方向から見た側面図である。
【００４６】
ステップＳ２３とステップＳ２４は、図９及び図１０に折返し方向Ｄ２３の矢印で示されている補強部材２１２の折返しの動きを二段階に分けて示したものである。まず、ステップＳ２３（図１３）では、被覆電線１２０と略直交する姿勢に補強圧着片２１２ａがなるまで、矢印Ｄ２３１で示されているように補強部材２１２が連結部２１２ｂで折り返される。次のステップＳ２４（図１４）では、補強圧着片２１２ａが被覆バレル１１１ｂの一部及び芯線バレル１１１ｃの一部の双方に重なるまで、矢印Ｄ２３２で示されているように補強部材２１２が連結片２１２ｂで折り返される。
【００４７】
そして、図１２にステップＳ２５として示されているように、補強圧着片２１２ａが、被覆バレル１１１ｂの一部、及び、芯線バレル１１１ｃの一部、の双方に重なった状態で巻き付けられて圧着接続されて、図８にも示されている端子付き電線２が完成する。
【００４８】
以上に説明した第２実施形態における圧着端子２１０によっても、第１実施形態と同様に、被覆電線１２０の端部１２０ａに対する接続強度の低下を抑制しつつ接続部１ａを補強することができる。また、第２実施形態における端子付き電線２によれば、上述した圧着端子１２０を備えていることから、被覆電線１２０の端部１２０ａに対する接続強度の低下を抑制しつつ接続部１ａを補強することができる。
【００４９】
また、本実施形態の圧着端子２１０では、補強圧着片２１２ａ及び連結片２１２ｂを備える補強部材２１２が、端子本体１１１と一体に形成されている。このため、端子本体１１１と補強部材が別体に形成されている場合と比較して、圧着端子２１０としての部品点数が抑えられる。これにより、圧着端子２１０の保管や被覆電線１２０の端部への圧着作業等といった、圧着端子２１０の取扱い全般について容易に行うことができる。
【００５０】
また、本実施形態の圧着端子２１０によれば、複数個の圧着端子２１０の保管に資する長尺帯２２０における一部片２２２や枝状片２２１が、補強部材２１２における補強圧着片２１２ａや連結片２１２ｂに有効利用されるので、部品コストを抑えることができる。
【００５１】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の圧着端子及び端子付き電線の構成を具備する限り、勿論、本発明の範疇に含まれるものである。
【００５２】
例えば、上述した実施形態では、本発明にいう圧着端子の一例として、雌型コネクタ端子としての圧着端子１１０，２１０が例示されている。しかしながら、本発明にいう圧着端子は、これらに限るものではなく、例えば雄型コネクタ端子等であってもよく、圧着端子であればその具体的な態様を問うものではない。
【００５３】
また、上述した実施形態では、本発明にいう補強部材の一例として、被覆バレル１１１ｂの一部、及び、芯線バレル１１１ｃの一部、の双方に重なった状態で巻き付けられる補強部材１１２，２１２が例示されている。しかしながら、本発明にいう補強部材は、これらに限るものではなく、例えば被覆バレル１１１ｂの全部、及び、芯線バレル１１１ｃの全部、の双方に重なった状態で巻き付けられるものであってもよい。あるいは、被覆バレル１１１ｂ及び芯線バレル１１１ｃの一方については一部に重なり、他方については全部に重なった状態で巻き付けられるものであってもよい。
【符号の説明】
【００５４】
１，２    端子付き電線
１ａ      接続部
１１０，２１０    圧着端子
１１１    端子本体
１１１ａ  嵌合部
１１１ｂ  被覆バレル
１１１ｃ  芯線バレル
１１２，２１２    補強部材
１２０    被覆電線
１２１    芯線
１２２    被覆部
２１２ａ  補強圧着片
２１２ｂ  連結片
２２０    長尺帯
２２１    枝状片
２２２    一部片
Ｄ２１    長手方向
Ｄ２２    交差方向
Ｄ２３    折返し方向
【図１】
2018181559.tif 000003
【図２】
2018181559.tif 000004
【図３】
2018181559.tif 000005
【図４】
2018181559.tif 000006
【図５】
2018181559.tif 000007
【図６】
2018181559.tif 000008
【図７】
2018181559.tif 000009
【図８】
2018181559.tif 000010
【図９】
2018181559.tif 000011
【図１０】
2018181559.tif 000012
【図１１】
2018181559.tif 000013
【図１２】
2018181559.tif 000014
【図１３】
2018181559.tif 000015
【図１４】
2018181559.tif 000016